(57)【要約】【課題】  表示パネルと他の電子部品とを組合わせてなる表示装置において、表示パネル駆動用の主フレキシブル配線基板上の部品実装エリアを縮小することができるとともに、コストを削減することのできる表示装置を提供すること。【解決手段】  表示パネル２の端子部５に、接続用配線９ａ，９ｂが配設されており、前記接続用配線９ａ，９ｂを介して表示パネル駆動用の主フレキシブル配線基板１２と他の電子部品１０，１１に接続された副フレキシブル配線基板１３，１４とを電気的に接続する。【選択図】      図２
2007298728.tif 000002
【特許請求の範囲】
【請求項１】
表示パネルと他の電子部品とを備え、前記表示パネルの端子部に電極端子が配設され、前記表示パネルの端子部に接続された表示パネル駆動用の主フレキシブル配線基板と、前記他の電子部品に接続された副フレキシブル配線基板とを有する表示装置に置いて、
前記表示パネルの端子部に接続用配線が配設され、前記主フレキシブル配線基板と前記副フレキシブル配線基板とが前記接続用配線を介して電気的に接続されていることを特徴とする表示装置。
【請求項２】
前記接続用配線は前記表示パネルの電極端子と隣接配置されている請求項１に記載の表示装置。
【請求項３】
前記接続用配線は電流制御用の保護抵抗を兼ねている請求項１または２に記載の表示装置。
【発明の詳細な説明】
【技術分野】
【０００１】
本発明は、表示パネルと他の電子部品とを組合わせてなる表示装置に係り、特に、部品点数を減らし、コストを削減することのできる表示装置に関する。
【背景技術】
【０００２】
従来から、表示パネルとバックライト装置などの他の電子部品を組合わせて構成される表示装置において、表示パネルと他の電子部品を接続する際に、例えば表示パネルの電極端子に接続されたフレキシブル配線基板にコネクタを実装し、コネクタに電子部品に接続されたフレキシブル配線基板を接続することにより表示装置を構成していた。
【０００３】
このような従来の表示装置の一例としては、液晶表示パネルに他の電子部品としてバックライト装置とタッチパネル装置を備えたものがある。
【０００４】
前記液晶表示パネル、前記バックライト装置および前記タッチパネル装置には、それぞれフレキシブル配線基板が接続されている。
【０００５】
そして、液晶表示パネル駆動用の主フレキシブル配線基板の表面および裏面にはそれぞれコネクタが実装されており、これらのコネクタに前記バックライト装置用フレキシブル配線基板および前記タッチパネル装置用フレキシブル配線基板をそれぞれ接続させることにより、液晶表示パネル、バックライト装置およびタッチパネル装置が電気的に接続されて表示装置が構成されている（例えば、特許文献１参照）。
【０００６】
【特許文献１】特開２００６−１８１７９号公報
【発明の開示】
【発明が解決しようとする課題】
【０００７】
しかしながら、前述したような従来の表示装置においては、表示パネルと組合わされる電子部品の数と同数のコネクタを表示パネル駆動用の主フレキシブル配線基板に実装していたため、この表示パネル駆動用の主フレキシブル配線基板に複数のコネクタを実装する電極を形成するためのスペースを確保する必要があり、コネクタの部品点数とコストの増加、ならびに、コネクタを実装するためのコストが掛かってしまうということが問題となっていた。
【０００８】
そこで、本発明は、表示パネルと他の電子部品とを組合わせてなる表示装置において、表示パネル駆動用の主フレキシブル配線基板上のコネクタ等の部品実装エリアを縮小することができるとともに、コネクタ等の部品点数を減らしコストを削減することのできる表示装置を提供することを目的とするものである。
【課題を解決するための手段】
【０００９】
前述した目的を達成するため本発明に係る表示装置の特徴は、表示パネルと他の電子部品とを備え、前記表示パネルの端子部に電極端子が配設され、前記表示パネルの端子部に接続された表示パネル駆動用の主フレキシブル配線基板と、前記他の電子部品に接続された副フレキシブル配線基板とを有する表示装置に置いて、前記表示パネルの端子部に接続用配線が配設され、前記主フレキシブル配線基板と前記副フレキシブル配線基板とが前記接続用配線を介して電気的に接続されている点にある。
【００１０】
このような構成を採用したことにより、主フレキシブル配線基板にコネクタを実装することなく他の電子部品を主フレキシブル配線基板に接続することができる。
【００１１】
また、本発明に係る表示装置の他の特徴は、前記接続用配線は前記表示パネルの電極端子と隣接配置されている点にある。
【００１２】
このような構成を採用したことにより、表示パネルの端子部の面積を小さく形成することができる。
【００１３】
また、前記接続用配線は、電流制御用の保護抵抗をかねてもよい。このことにより、さらに部品点数を削減することができる。
【発明の効果】
【００１４】
本発明の表示装置によれば、コネクタと、コネクタを実装するための電極を配設する必要がなくなり、コストを削減することができる。また、表示パネルの端子部に、表示パネル駆動用の主フレキシブル配線基板と、他の電子部品にそれぞれ接続された副フレキシブル配線基板とをそれぞれ接続する接続用配線を配設するだけでよいので、表示パネル駆動用の主フレキシブル配線基板上の部品実装エリアを縮小することができる。
【発明を実施するための最良の形態】
【００１５】
以下、本発明に係る表示装置を図面に示す実施形態により説明する。
【００１６】
図１は本実施形態の表示装置の構成を示す概略斜視図、図２は図１の要部拡大図である。
【００１７】
本実施形態の表示装置１は、図１に示すように、表示パネルの一例としての液晶表示パネル２と、他の電子部品としてのバックライト装置１０およびタッチパネル装置１１とから構成されている。
【００１８】
前記液晶表示パネル２には表示パネル駆動用の主フレキシブル配線基板（メインフレキ）１２が接続されており、前記バックライト装置１０は副フレキシブル配線基板１３により前記液晶表示パネル２に接続され、前記タッチパネル装置１１は副フレキシブル配線基板１４により前記液晶表示パネル２に接続されている。
【００１９】
前記メインフレキ１２、前記副フレキシブル配線基板１３および前記副フレキシブル配線基板１４は、それぞれポリイミド等の可撓性を有する絶縁性樹脂からなる長尺なフィルム基板から形成されており、それぞれ一方の面に所定パターンに形成された銅箔等からなる電極（図示せず）が形成されている。そして、両端を除いた前記電極の表面が絶縁性樹脂からなるカバーフィルム（図示せず）により被覆されており、露出した前記電極の表面にはニッケルおよび金などのメッキ（図示せず）が施され、それぞれ制御回路基板（図示せず）、液晶表示パネル２、バックライト装置１０あるいはタッチパネル装置１１に接続される接続端子（図示せず）が形成されている。
【００２０】
前記液晶表示パネル２は、透明なガラスなどからなり表面にＩＴＯにより所定パターンの電極が配設された一対の透明電極基板３，４が対向して配置されている。そして、前記各透明電極基板３，４の周辺に接着材を兼ねたシール材（図示せず）を配設して貼り合わせ、前記シール材にあらかじめ設けられた注入口から液晶（図示せず）が注入され、その後、注入口を封止して構成されている。
【００２１】
そして、前記透明電極基板３には前記透明電極基板４よりも側方に張り出した張出部３ａが形成されており、その表面は、図２に示すように、多数の液晶駆動用配線６が引き回されているとともに、この液晶駆動用配線６上には液晶駆動用ＩＣ７が搭載された端子部５とされている。
【００２２】
前記液晶駆動用ＩＣ７には、長手方向に沿った相対向する長辺である上辺および下辺に多数のＩＣ電極（図示せず）が形成されており、前記液晶駆動用ＩＣ７の出力側の多数のＩＣ電極は、前記液晶駆動用配線６の出力配線６ａと電気的に接続されている。また、前記液晶駆動用ＩＣ７の入力側の多数のＩＣ電極は、前記液晶駆動用配線６の入力配線６ｂと電気的に接続されている。そして、前記入力配線６ｂは前記端子部５の端縁近傍に引き回され、前記メインフレキ１２が電気的に接続される電極端子８とされている。
【００２３】
そして、本実施形態の液晶表示パネル２の前記端子部５には、前記メインフレキ１２と前記副フレキシブル配線基板１３とを電気的に接続するための接続用配線９ａと、前記メインフレキ１２と前記副フレキシブル配線基板１４とを電気的に接続するための接続用配線９ｂとが形成されている。
【００２４】
そして、前記液晶表示パネル２の電極端子８と各接続用配線９ａ，９ｂの一方の端部に異方性導電膜ＡＣＦ（図示せず）により前記メインフレキ１２が接続され、前記液晶表示パネル２が前記メインフレキ１２を介して前記制御回路基板と接続されている。
【００２５】
そしてさらに、前記液晶表示パネル２の接続用配線９ａのもう一方の端部に異方性導電膜ＡＣＦ（図示せず）により前記副フレキシブル配線基板１３が接続されるとともに、接続用配線９ｂのもう一方の端部に異方性導電膜ＡＣＦ（図示せず）により前記副フレキシブル配線基板１４が接続され、前記液晶表示パネル２、前記バックライト装置１０および前記タッチパネル装置１１が前記メインフレキ１２に接続されて表示装置１が構成される。
【００２６】
以上説明した本実施形態の表示装置１によれば、従来のように表示パネル駆動用の主フレキシブル配線基板１２にコネクタを実装し、各コネクタにそれぞれ副フレキシブル配線基板１３および副フレキシブル配線基板１４を接続する必要がなくなるため、各コネクタの部品としてのコストと、表示パネル駆動用の主フレキシブル配線基板１２に各コネクタを実装するための電極を配設するコストとを削減することができる。
【００２７】
また、従来は表示パネル駆動用の主フレキシブル配線基板１２に各コネクタを実装するための電極をそれぞれ配設していたのに対し、本実施形態の表示装置１においては、液晶表示パネル２の端子部５に接続用配線９ａ，９ｂを配設するだけでよいので、表示パネル駆動用の主フレキシブル配線基板１２上のコネクタ等の部品実装エリアを縮小することができる。
【００２８】
さらに、このような構成を採用したことにより、副フレキシブル配線基板１３が接続される接続用配線９ａのＩＴＯの抵抗成分を調節することにより、例えばバックライト装置１０の電流制御用の保護抵抗を兼用することができる。
【００２９】
なお、本発明は、前述した実施の形態に限定されるものではなく、必要に応じて種々の変更が可能である。
【００３０】
上述の説明では液晶表示装置に適用した場合について説明したが、本発明は例えば、有機ＥＬ表示装置などの他の表示装置に適用することも可能である。
【図面の簡単な説明】
【００３１】
【図１】本実施形態の表示装置の構成を示す概略斜視図
【図２】図１の要部拡大図
【符号の説明】
【００３２】
１  表示装置
２  液晶表示パネル
３  透明電極基板
４  透明電極基板
５  端子部
６  液晶駆動用配線
７  液晶駆動用ＩＣ
８  電極端子
９ａ，９ｂ  接続用配線
１０  バックライト装置
１１  タッチパネル装置
１２  表示パネル駆動用の主フレキシブル配線基板
１３  副フレキシブル配線基板
１４  副フレキシブル配線基板
【図１】
2007298728.tif 000003
【図２】
2007298728.tif 000004